(57)【要約】【課題】原稿の画像を読み取る際の条件に応じた適切な開始時間で読み取りを開始できる、画像読取装置を提供する。【解決手段】原稿の画像の種類がブックである場合には、時間閾値Ｔｔｈがブック用時間閾値に設定される（Ｓ１４２）。原稿の画像の種類がオートクロップである場合には、時間閾値Ｔｔｈがオートクロップ用時間閾値に設定さる（Ｓ１４４）。原稿の画像の種類がブックでもオートクロップでもない場合には、時間閾値Ｔｔｈがその他用時間閾値に設定される（Ｓ１４６）。そして、タイマによって計測された経過時間Ｔが時間閾値Ｔｔｈに達すると、読取部による画像の読み取りが開始される。【選択図】図４
2019165408.tif 000002
【特許請求の範囲】
【請求項１】
支持面に支持された原稿の画像を読み取る読取部と、
操作部と、
記憶部と、
制御部と、を備え、
前記記憶部には、前記読取部による画像の読み取りを開始する開始時間が複数記憶されており、
前記制御部は、前記支持面に支持された原稿の画像の読取開始指示を前記操作部から受け付けることなく画像の読み取りを開始させる自動読取モードを設定可能であり、
前記制御部は、前記自動読取モードに設定されている場合に、第１の条件で前記読取部により画像を読み取らせる場合には、前記記憶部に記憶されている第１の開始時間に従って前記読取部に画像の読み取りを開始させ、第１の条件とは異なる第２の条件で前記読取部により画像を読み取らせる場合には、前記記憶部に記憶されている第２の開始時間に従って前記読取部に画像の読み取りを開始させる、画像読取装置。
【請求項２】
請求項１に記載の画像読取装置であって、
前記制御部は、前記操作部に所定の操作が受け付けられたタイミングで経過時間の計測を開始し、その計測された経過時間が開始時間に達したときに前記読取部に画像の読み取りを開始させる、画像読取装置。
【請求項３】
請求項１または２に記載の画像読取装置であって、
前記第１の条件および前記第２の条件は、前記支持面に支持される原稿の種類によって異なる、画像読取装置。
【請求項４】
請求項３に記載の画像読取装置であって、
前記制御部は、前記支持面に支持される原稿の画像が見開き原稿の画像であることを特定するための設定がされている場合、前記第１の条件で前記読取部に原稿の画像を読み取らせ、当該設定がされていない場合、前記第２の条件で前記読取部に原稿の画像を読み取らせる、画像読取装置。
【請求項５】
請求項３に記載の画像読取装置であって、
前記制御部は、前記支持面に支持される複数の原稿の画像を一度に読み取る設定がされている場合、前記第１の条件で前記読取部に原稿の画像を読み取らせ、当該設定がされていない場合、前記第２の条件で前記読取部に原稿の画像を読み取らせる、画像読取装置。
【請求項６】
請求項３〜５のいずれか一項に記載の画像読取装置であって、
前記制御部は、前記読取部により複数の原稿が連続して読み取られる場合に、前記読取部により読み取られた画像を解析して、その解析により原稿の種類を判別する、画像読取装置。
【請求項７】
請求項３〜６のいずれか一項に記載の画像読取装置であって、
前記第１の開始時間が前記第２の開始時間よりも長い、画像読取装置。
【請求項８】
請求項１〜７のいずれか一項に記載の画像読取装置であって、
前記制御部は、前記操作部により操作が受け付けられたことに応じて、前記記憶部に記憶されている開始時間を更新する、
画像読取装置。
【請求項９】
請求項８に記載の画像読取装置であって、
前記制御部は、
前記経過時間の計測の開始後、前記操作部に受け付けられる時間変更操作に応じて、前記記憶部に記憶される開始時間とは異なるタイミングで前記読取部に前記画像の読み取りを開始させ、
前記記憶部に記憶される開始時間とは異なるタイミングで読み取りを開始した場合に、前記記憶部に記憶される開始時間を、前記画像の読み取りの条件と対応づけて前記画像の読み取りを開始した開始時間に更新する、
画像読取装置。
【請求項１０】
請求項１〜９のいずれか一項に記載の画像読取装置であって、
前記制御部は、前記読取部により読み取られた画像データを解析して、その解析の結果、前記支持面に原稿が支持されていないと判断した場合、前記読取部に画像を読み取らせる一連の処理を終了する、画像読取装置。
【発明の詳細な説明】
【技術分野】
【０００１】
本発明は、原稿の画像を読み取る画像読取装置に関する。
【背景技術】
【０００２】
従来、ＦＢ（Flat Bed：フラットベッド）方式により画像を読み取る画像読取装置において、画像の読取動作が自動的に開始される自動読取機能を搭載した機種が提案されている。自動読取機能が有効にされると、原稿をコンタクトガラス上にセットする毎にスタートボタンを押下することなく、設定時間に達したときに自動で原稿の読み取りが開始される。
【先行技術文献】
【特許文献】
【０００３】
【特許文献１】特開２０１３−１９７９７５号公報
【発明の概要】
【発明が解決しようとする課題】
【０００４】
特許文献１では、原稿の画像を読み取る際の条件に関わらず、原稿の読み取る開始時間として共通の開始時間が設定されている。しかしながら、原稿の画像を読み取る際の条件によって、適切な開始時間が同じとは限らない。
【０００５】
本発明の目的は、原稿の画像を読み取る際の条件に応じた適切な開始時間で読み取りを開始できる、画像読取装置を提供することである。
【課題を解決するための手段】
【０００６】
前記の目的を達成するため、本発明に係る画像読取装置は、支持面に支持された原稿の画像を読み取る読取部と、操作部と、記憶部と、制御部と、を備え、記憶部には、読取部による画像の読み取りを開始する開始時間が複数記憶されており、制御部は、支持面に支持された原稿の画像の読取開始指示を操作部から受け付けることなく画像の読み取りを開始させる自動読取モードを設定可能であり、制御部は、自動読取モードに設定されている場合に、第１の条件で読取部により画像を読み取らせる場合には、記憶部に記憶されている第１の開始時間に従って読取部に画像の読み取りを開始させ、第１の条件とは異なる第２の条件で読取部により画像を読み取らせる場合には、記憶部に記憶されている第２の開始時間に従って読取部に画像の読み取りを開始させる。
【０００７】
この構成によれば、原稿の画像を読み取る際の条件が第１の条件である場合には、第１の開始時間に従って読取部による画像の読み取りが開始され、原稿の画像を読み取る際の条件が第２の条件である場合には、第２の開始時間に従って読取部による画像の読み取りが開始される。よって、原稿の画像を読み取る際の条件に応じた適切な開始時間で読み取りを開始することができる。
【発明の効果】
【０００８】
本発明によれば、原稿の画像を読み取る際の条件に応じた適切な開始時間で読み取りを開始することができる。
【図面の簡単な説明】
【０００９】
【図１】本発明の一実施形態に係る画像読取装置が備えられる複合機の斜視図である。
【図２】画像読取装置の電気的構成を示すブロック図である。
【図３Ａ】読取処理の流れを示すフローチャート（その１）である。
【図３Ｂ】読取処理の流れを示すフローチャート（その２）である。
【図３Ｃ】読取処理の流れを示すフローチャート（その３）である。
【図３Ｄ】読取処理の流れを示すフローチャート（その４）である。
【図４】時間閾値選択処理の流れを示すフローチャートである。
【図５】ブック用時間閾値、オートクロップ用時間閾値およびその他用時間閾値の一例を示す図である。
【図６】時間閾値変更処理の流れを示すフローチャートである。
【発明を実施するための形態】
【００１０】
以下では、本発明の実施の形態について、添付図面を参照しつつ詳細に説明する。
【００１１】
＜画像読取装置の構成＞
図１に示される画像読取装置１は、画像を読み取って画像データを生成するスキャン機能を有する電子機器である。画像読取装置１は、画像データに係る画像を媒体に印刷するプリント機能を有する画像形成装置２と一体化されて、スキャン機能、プリント機能およびコピー機能などの複数の機能を有する複合機（ＭＦＰ：Multi-Function Peripheral）３を構成している。
【００１２】
画像読取装置１は、筐体４を備えている。筐体４の上面には、コンタクトガラス５が設けられている。筐体４内には、図２に示される読取部１１が設けられている。読取部１１には、読取デバイス１２および移動機構１３が含まれる。読取デバイス１２は、複数の受光素子がコンタクトガラス５の上面５Ａと平行をなす主走査方向に配列された構成を有する。移動機構１３は、読取デバイス１２をコンタクトガラス５の上面５Ａと平行かつ主走査方向と直交する副走査方向に移動させる機構である。
【００１３】
コンタクトガラス５の上面５Ａは、原稿を支持する支持面である。コンタクトガラス５の上面５Ａ上では、原稿における画像の読み取りの対象となる読取対象面が上面５Ａに向けられる。原稿の読取対象面で反射した光が読取デバイス１２の各受光素子に結像することにより、原稿の画像が主走査方向に１ライン分読み取られる。移動機構１３により読取デバイス１２が副走査方向に移動されつつ、読取デバイス１２に画像が１ラインずつ読み取られる。
【００１４】
また、筐体４には、図１に示されるように、コンタクトガラス５に対する一方側に、操作パネル６が設けられている。操作パネル６は、タッチパネルからなり、図２に示されるように、液晶ディスプレイなどの表示部１４上に感圧式または静電容量式の透明フィルムスイッチなどの操作部１５を重ねて構成されている。表示部１４には、各種の情報や操作キーなどの画像が表示される。ユーザが表示部１４に表示される操作キーをタッチ操作することにより、その操作キーのタッチ操作が操作部１５に受け付けられる。
【００１５】
なお、表示部１４と操作部１５とは、タッチパネルを構成せずに、別々に独立して設けられていてもよい。
【００１６】
また、画像読取装置１は、ＡＳＩＣ（Application Specific Integrated Circuit）２１、ＲＯＭ（Read Only Memory）２２およびＲＡＭ（Random Access Memory）２３を備えている。
【００１７】
ＡＳＩＣ２１は、ＣＰＵ２４（制御部の一例）を内蔵している。記憶部の一例であるＲＯＭ２２は、フラッシュメモリなどの書き換え可能な不揮発性メモリからなる。ＲＯＭ２２には、ＣＰＵ２４によって実行されるプログラムや各種のデータなどが記憶されている。ＲＡＭ２３は、ＤＲＡＭ（Dynamic Random Access Memory）などの揮発性メモリであり、ＣＰＵ２４がプログラムを実行する際のワークエリアとして使用される。
【００１８】
ＡＳＩＣ２１には、読取部１１から読取デバイス１２で生成された画像データが入力される。また、操作パネル６から操作部１５に受け付けられたタッチ操作の内容に応じた信号が入力される。ＣＰＵ２４は、ＡＳＩＣ２１に入力される情報に基づいて、ＲＯＭ２２に記憶されているプログラムを実行することにより、読取部１１の動作を制御し、また、操作パネル６の表示部１４の表示を制御する。
【００１９】
＜読取処理＞
画像読取装置１は、ＦＢ自動読取機能を搭載しており、ＦＢ自動読取機能が無効となる通常読取モードと、ＦＢ自動読取機能が有効となるＦＢ自動読取モードとを有している。ＦＢ自動読取モードが設定されて、ＦＢ自動読取機能が有効である場合、画像の読み取りの開始を指示するスタートキーのタッチ操作が操作部１５に受け付けられなくても、所定のタイミングからの経過時間Ｔが所定の時間閾値Ｔｔｈに達すると、読取部１１による画像の読取動作が開始される。
【００２０】
通常読取モードとＦＢ自動読取モードとは、操作部１５のタッチ操作により選択的に設定することができる。たとえば、表示部１４に表示される待機画面には、モード変更キーが表示されており、ＡＳＩＣ２１のＣＰＵ２４は、通常読取モードの設定中にモード変更キーのタッチ操作が操作部１５に受け付けられると、ＦＢ自動読取モードを通常読取モードから切り替えて設定し、ＦＢ自動読取モードの設定中にモード変更キーのタッチ操作が操作部１５に受け付けられると、通常モードをＦＢ自動読取モードから切り替えて設定する。
【００２１】
また、待機画面には、たとえば、スキャンキーおよびコピーキーが表示される。スキャンキーは、スキャン機能によるジョブの実行に先立ってタッチ操作されるキーである。コピーキーは、コピー機能によるジョブの実行に先立ってタッチ操作されるキーである。たとえば、スキャンキーのタッチ操作が操作部１５に受け付けられると、ＣＰＵ２４は、図３Ａ、図３Ｂ、図３Ｃおよび図３Ｄに一連の流れが示される読取処理を実行する。
【００２２】
読取処理では、図３Ａに示されるように、ＣＰＵ２４は、ＦＢ自動読取モードが設定されているか否かを判別する（Ｓ１１）。ＦＢ自動読取モードが設定されていないとき、つまり通常読取モードが設定されているときには（Ｓ１１：ＮＯ）、ＣＰＵ２４は、表示部１４の表示画面を待機画面からジョブ開始画面に切り替える。ジョブ開始画面には、プリセット設定および画像の読み取りの開始を指示するスタートキーが表示される。また、スキャン設定条件を現在の設定から変更する場合にタッチ操作される設定変更キーも表示され、設定変更キーが操作され、スキャン設定条件が変更されると、ジョブ開始画面に表示される設定内容がプリセット設定から変更後のスキャン設定に変更される。そして、ＣＰＵ２４は、スタートキーのタッチ操作が操作部１５に受け付けられたことに応じて読取部１１に画像の読み取りを開始させる通常読取制御を実行する（Ｓ１２）。
【００２３】
ＦＢ自動読取モードが設定されているときには（Ｓ１１：ＹＥＳ）、ＣＰＵ２４は、表示部１４の表示画面を待機画面から設定画面に切り替える（Ｓ１３）。設定画面には、ジョブ開始画面で表示される表示内容に加え、読取処理の終了を指示する終了キー、時間閾値Ｔｔｈの５秒間の延長を指示する延長キーなども表示される。スキャン設定条件には、スキャンする原稿サイズやスキャン画像の保存先を示す保存先情報、解像度等が含まれる。また、スキャン設定条件にはオプション設定を含み、スキャン画像に対する画像処理に関する設定が行える。このオプション設定の設定内容により、コンタクトガラス５の上面５Ａに支持される原稿の画像の種類を特定可能である。例えば、スキャン設定条件において、見開き原稿の２ページに跨がる中央部分、つまり見開き原稿でコンタクトガラス５の上面５Ａから浮き上がる部分の画素データを白画素データに置き換える補正処理を行うことを示す「ブック補正」が条件として設定された場合には、原稿の画像の種類がブックであることが特定される。また、コンタクトガラス５の上面５Ａに並べて配置された複数の原稿の画像を一度に読み取り、読み取った画像データを各原稿の画像データに切り分けて出力するクロップ処理を行うことを示す「オートクロップ」が条件として設定された場合は、複数の原稿が一度に読み取られるオートクロップに関わる原稿の画像の種類であることが特定される。なお、プリセット設定では、「原稿サイズ」に読み取った画像のエッジから原稿サイズを自動解析する旨を示す「自動解析」が設定されている。また、保存先情報や解像度は予め決められた設定値が設定されており、オプション設定では特殊な画像処理を行わない旨の設定がされている。
【００２４】
その後、ＣＰＵ２４は、時間閾値Ｔｔｈをブック用時間閾値、オートクロップ用時間閾値およびその他用時間閾値の中から１つを選択して設定する時間閾値選択処理を実行する（Ｓ１４）。時間閾値選択処理の詳細については、後述する。
【００２５】
時間閾値選択処理の終了後、ＣＰＵ２４は、経過時間Ｔを計測するタイマを初期化し、タイマによって計測された経過時間Ｔを０にリセットする（Ｓ１５）。ＡＳＩＣ２１には、タイマの機能が組み込まれている。タイマの初期化と同時に、ＣＰＵ２４は、タイマによる経過時間Ｔの計測を開始する。
【００２６】
そして、ＣＰＵ２４は、原稿の画像の種類に関する設定の変更があったか否かを判別する（Ｓ１６）。たとえば、設定画面での設定変更キーのタッチ操作が操作部１５に受け付けられると、ＣＰＵ２４は、表示部１４の表示画面を設定画面から設定変更画面に切り替える。設定変更画面では、ユーザは、タッチ操作により、コンタクトガラス５の上面５Ａに支持される原稿を読み取るためのスキャン設定を現在の設定から変更することができる。例えば、ここで、オプション設定として「ブック補正」や「オートクロップ」を設定可能である。また、現在の設定を解除することができる。現在の設定が解除されることにより、一度変更された設定内容をプリセット設定の設定値に戻すことができる。原稿の画像の種類に関する設定の変更があった場合（Ｓ１６：ＹＥＳ）、ＣＰＵ２４は、時間閾値選択処理を再び実行する（Ｓ１４）。そして、ＣＰＵ２４は、タイマを初期化して経過時間Ｔの計測を開始しなおす。すなわち、経過時間Ｔの計測は、スタートキーを受け付け可能なタイミング（読取が開始できる準備が整ったタイミング）に開始される。換言すれば、タッチパネルにスタートキーを含む画面（設定画面）が表示されたタイミングとも言えるし、設定画面の表示に切り替わるための操作を操作部により受け付けたタイミングとも言える。
【００２７】
原稿の画像の種類に関する設定の変更がない場合（Ｓ１６：ＮＯ）、ＣＰＵ２４は、設定画面での終了キーのタッチ操作による読取処理の終了指示があったか否かを判別する（Ｓ１７）。終了指示があった場合（Ｓ１７：ＹＥＳ）、つまり設定画面での終了キーのタッチ操作が操作部１５に受け付けられた場合、ＣＰＵ２４は、読取処理を終了する。
【００２８】
終了指示がない場合（Ｓ１７：ＮＯ）、ＣＰＵ２４は、設定画面での延長キーのタッチ操作による５秒延長の指示があったか否かを判別する（Ｓ１８）。５秒延長の指示があった場合（Ｓ１８：ＹＥＳ）、つまり設定画面での延長キーのタッチ操作が操作部１５に受け付けられた場合、ＣＰＵ２４は、時間閾値Ｔｔｈを５秒間延長する（Ｓ１９）。その後、ＣＰＵ２４は、設定画面でのスタートキーのタッチ操作による画像の読み取りの開始の指示があったか否かを判別する（Ｓ２０）。
【００２９】
一方、５秒延長の指示がない場合（Ｓ１８：ＮＯ）、ＣＰＵ２４は、時間閾値Ｔｔｈを変更せずに、設定画面でのスタートキーのタッチ操作による画像の読み取りの開始の指示があったか否かを判別する（Ｓ２０）。
【００３０】
画像の読み取りの開始の指示がない場合（Ｓ２０：ＮＯ）、ＣＰＵ２４は、タイマによって計測された経過時間Ｔが時間閾値Ｔｔｈ以上に達したか否かを判別する（Ｓ２１）。経過時間Ｔが時間閾値Ｔｔｈ未満である場合（Ｓ２１：ＮＯ）、ＣＰＵ２４は、画像データの処理の設定の変更があったか否かを再び判別し（Ｓ１６）、前述したステップＳ１７以降の処理を実行する。
【００３１】
画像の読み取りの開始の指示があった場合（Ｓ２０：ＹＥＳ）、つまり設定画面でのスタートキーのタッチ操作が操作部１５に受け付けられた場合、または、経過時間Ｔが時間閾値Ｔｔｈ以上に達した場合（Ｓ２１：ＹＥＳ）、ＣＰＵ２４は、読取部１１を制御して、１ページ目の画像データを生成するための画像の読み取りを実行する（図３ＢのＳ２２）。この読み取りは、設定されたスキャン設定条件で実行される。すなわち、スキャン設定条件に「ブック補正」が設定されている場合は、読み取られた原稿の画像に対し、見開き原稿の２ページに跨がる中央部分、つまり見開き原稿でコンタクトガラス５の上面５Ａから浮き上がる部分の画素データを白画素データに置き換える補正処理を行った画像データを設定された保存先に送信する。また、スキャン設定条件に「オートクロップ」が設定されている場合は、コンタクトガラス５の上面５Ａ全体をスキャンすることで、上面５Ａに並べて配置された複数の原稿の画像を一度に読み取る。そして、読み取った画像データのエッジ検出を行いオブジェクトごとに各原稿の画像データに切り分けて、それぞれの画像データを指定された保存先に送信する。また、原稿サイズに「自動解析」が設定されている場合は、コンタクトガラス５の上面５Ａの原稿の画像のエッジ検出を行うことで、原稿サイズを決定し、決定した原稿サイズで原稿の画像を読み取った画像データを設定された保存先に送信する、
【００３２】
そして、原稿の画像の種類に関する設定として自動解析が設定されている場合には（Ｓ２３：ＹＥＳ）、ＣＰＵ２４は、その読み取りにより生成された画像データを解析して、読み取った画像がブックであるか、オートクロップに関わる原稿の画像であるか、それら以外の他の画像であるか、または、コンタクトガラス５上に原稿がないために読み取った原稿が白色の原稿押さえであるかを判定する（Ｓ２４）。例えば、読み取った画像の中央部分に連続する暗部（見開き原稿の浮き上がり部分）がある場合、その原稿の画像の種類はブックであると判断する。読み取った画像に複数の矩形領域が特定された場合、その原稿の画像の種類はオートクロップに関わる原稿の画像であると判断する。ＣＰＵ２４は、コンタクトガラス５上に原稿がないために読み取った原稿が白色の原稿押さえであると判定した場合（Ｓ２５：ＹＥＳ）、読取処理を終了する。なお、読み取った画像が白紙原稿であった場合にも、白色画像が読み取られるので、ＣＰＵ２４は、読み取った原稿が白色の原稿押さえであると判定する。
【００３３】
自動解析が設定されていない場合（Ｓ２３：ＮＯ）、または、読み取った原稿が白色の原稿押さえではない場合には（Ｓ２５：ＮＯ）、ＣＰＵ２４は、表示部１４に表示されている設定画面に、次の原稿がなければ終了キーをタッチ操作する旨のメッセージを表示させる（図３ＣのＳ２６）。
【００３４】
メッセージが表示されると、ＣＰＵ２４は、時間閾値選択処理を再び実行し（Ｓ２７）、時間閾値選択処理が終了した後、経過時間Ｔを計測するタイマを初期化し、タイマによって計測された経過時間Ｔを０にリセットし再び計測を開始する（Ｓ２８）。すなわち、次ページの原稿の読取の準備が整ったタイミングであるタッチパネルにメッセージが表示されたタイミングで経過時間Ｔの計測が開始される。なお、この計測は、例えば、ユーザにより原稿カバーの開閉操作が検知されたタイミングで開始してもよい。その後、ＣＰＵ２４は、設定画面での終了キーのタッチ操作による読取処理の終了指示があったか否かを判別する（Ｓ２９）。一方、終了キーがタッチ操作された場合、ＣＰＵ２４は、時間閾値選択処理およびタイマの初期化を行わずに、設定画面での終了キーのタッチ操作による読取処理の終了指示があったと判定して（Ｓ２９）、読取処理を終了する。
【００３５】
終了指示がない場合（Ｓ２９：ＮＯ）、ＣＰＵ２４は、設定画面での延長キーのタッチ操作による５秒延長の指示があったか否かを判別する（Ｓ３０）。５秒延長の指示があった場合（Ｓ３０：ＹＥＳ）、つまり設定画面での延長キーのタッチ操作が操作部１５に受け付けられた場合、ＣＰＵ２４は、時間閾値Ｔｔｈを５秒間延長する（Ｓ３１）。その後、ＣＰＵ２４は、設定画面でのスタートキーのタッチ操作による画像の読み取りの開始の指示があったか否かを判別する（Ｓ３２）。
【００３６】
一方、５秒延長の指示がない場合（Ｓ３０：ＮＯ）、ＣＰＵ２４は、時間閾値Ｔｔｈを変更せずに、設定画面でのスタートキーのタッチ操作による画像の読み取りの開始の指示があったか否かを判別する（Ｓ３２）。
【００３７】
画像の読み取りの開始の指示がない場合（Ｓ３２：ＮＯ）、ＣＰＵ２４は、タイマによって計測された経過時間Ｔが時間閾値Ｔｔｈ以上に達したか否かを判別する（Ｓ３３）。経過時間Ｔが時間閾値Ｔｔｈ未満である場合（Ｓ３３：ＮＯ）、ＣＰＵ２４は、終了指示があったか否かを再び判別し（Ｓ２９）、前述したステップＳ２９以降の処理を実行する。
【００３８】
経過時間Ｔが時間閾値Ｔｔｈ以上に達した場合（Ｓ３３：ＹＥＳ）、または、画像の読み取りの開始の指示があった場合（Ｓ３２：ＹＥＳ）、ＣＰＵ２４は、ＲＯＭ２２に記憶されているブック用時間閾値、オートクロップ用時間閾値またはその他用時間閾値を変更する時間閾値変更処理を実行する（図３ＤのＳ３４）。時間閾値変更処理の詳細については、後述する。
【００３９】
時間閾値変更処理の終了後、ＣＰＵ２４は、次ページの画像データを生成するための画像の読み取りを実行する（Ｓ３５）。そして、自動解析処理が設定されている場合には（Ｓ３６：ＹＥＳ）、ＣＰＵ２４は、その読み取りにより生成された画像データを解析して、読み取った画像がブックであるか、オートクロップに関わる原稿の画像であるか、それら以外の他の画像であるか、または、コンタクトガラス５上に原稿がないために読み取った原稿が白色の原稿押さえであるかを判定する（Ｓ３７）。ＣＰＵ２４は、コンタクトガラス５上に原稿がないために読み取った原稿が白色の原稿押さえであると判定した場合（Ｓ３８：ＹＥＳ）、読取処理を終了する。
【００４０】
自動解析処理が設定されていない場合（Ｓ３６：ＮＯ）、ＣＰＵ２４は、コンタクトガラス５上に原稿がないために読み取った原稿が白色の原稿押さえであるかを判断する（Ｓ３８）。読み取った原稿が白色の原稿押さえではない場合には（Ｓ３８：ＮＯ）、図３ＣのステップＳ２６に戻り、ＣＰＵ２４は、表示部１４に表示されている設定画面に、次の原稿がなければ終了キーをタッチ操作する旨のメッセージを再び表示させる。そして、ＣＰＵ２４は、前述したステップＳ２７以降の処理を実行する。
【００４１】
＜時間閾値選択処理＞
図３ＡのステップＳ１４および図３ＣのステップＳ２７で実行される時間閾値選択処理の流れは、図４に示されている。
【００４２】
時間閾値選択処理では、ＣＰＵ２４は、原稿の画像の種類に関する設定がブックであるか（すなわちオプション設定で「ブック補正」が設定されているか）否かを判別する（Ｓ１４１）。ブックが設定されている場合（Ｓ１４１：ＹＥＳ）、ＣＰＵ２４は、ＲＯＭ２２のブック用領域からブック用時間閾値を読み出して、ブック用時間閾値を時間閾値Ｔｔｈに設定し（Ｓ１４２）、時間閾値選択処理を終了する。
【００４３】
ＲＯＭ２２には、ブック用領域、オートクロップ用領域およびその他用領域が設定されている。ブック用領域には、ブック用時間閾値が記憶されており、オートクロップ用領域には、オートクロップ用時間閾値が記憶されており、その他用領域には、その他用時間閾値が記憶されている。ブック用時間閾値は、ユーザが本などの原稿を見開いてコンタクトガラス５の上面５Ａに配置するのに要する時間に応じた値であり、図５に示される一例では、１０秒である。オートクロップ用時間閾値は、複数の原稿をコンタクトガラス５の上面５Ａに並べて配置するのに要する時間に応じた値であり、複数の原稿の配置には見開き原稿の配置よりもさらに時間がかかることが予想されるので、通常は、ブック用時間閾値よりも大きな値に設定される。図５に示される一例では、オートクロップ用時間閾値は、２０秒である。その他用時間閾値は、シート状の１枚の原稿をコンタクトガラス５の上面５Ａに配置するのに要する時間に応じた値であり、シート状の１枚の原稿の配置にはさほど時間がかからないと予想されるので、ブック用時間閾値およびオートクロップ用時間閾値よりも小さな値に設定される。図５に示される一例では、その他用時間閾値は、５秒である。
【００４４】
ブックが設定されていない場合（Ｓ１４１：ＮＯ）、ＣＰＵ２４は、原稿の画像の種類に関する設定がオートクロップであるか（すなわちオプション設定で「オートクロップ」が設定されているか）否かを判別する（Ｓ１４３）。オートクロップが設定されている場合（Ｓ１４３：ＹＥＳ）、ＣＰＵ２４は、ＲＯＭ２２のオートクロップ用領域からオートクロップ用時間閾値を読み出して、オートクロップ用時間閾値を時間閾値Ｔｔｈに設定し（Ｓ１４４）、時間閾値選択処理を終了する。
【００４５】
原稿の画像の種類に関する設定がブックおよびオートクロップのどちらでもない場合（Ｓ１４３：ＮＯ）、ＣＰＵ２４は、原稿サイズの設定が「自動解析」であるか否かを判別する（Ｓ１４５）。自動解析が設定されていない場合（Ｓ１４５：ＮＯ）、ＣＰＵ２４は、ＲＯＭ２２のその他用領域からその他用時間閾値を読み出して、その他用時間閾値を時間閾値Ｔｔｈに設定し（Ｓ１４６）、時間閾値選択処理を終了する。
【００４６】
自動解析が設定されている場合（Ｓ１４５：ＹＥＳ）、ＣＰＵ２４は、この後に実行する画像の読み取りが２ページ目以降の画像データを生成するための読み取りであるか否かを判別する（Ｓ１４７）。この後に実行する画像の読み取りが１ページ目の画像データを生成するための読み取りである場合（Ｓ１４７：ＮＯ）、つまりこの時間閾値選択処理が図３ＡのステップＳ１４で実行されている場合、ＣＰＵ２４は、自動解析が設定されていても、ＲＯＭ２２のその他用領域からその他用時間閾値を読み出して、その他用時間閾値を時間閾値Ｔｔｈに設定し（Ｓ１４６）、時間閾値選択処理を終了する。
【００４７】
この後に実行する画像の読み取りが２ページ目以降の画像データを生成するための読み取りである場合（Ｓ１４７：ＹＥＳ）、ＣＰＵ２４は、最後に読み取った画像データの解析結果から最後に読み取った画像がブックであると判定したか否かを判別する（Ｓ１４８）。ＣＰＵ２４は、最後に読み取った画像がブックであると判定した場合（Ｓ１４８：ＹＥＳ）、この後に読み取られる原稿の画像もブックである可能性が高いと考えられることから、ＲＯＭ２２のブック用領域からブック用時間閾値を読み出して、ブック用時間閾値を時間閾値Ｔｔｈに設定し（Ｓ１４２）、時間閾値選択処理を終了する。
【００４８】
最後に読み取った画像がブックであると判定されなかった場合（Ｓ１４８：ＮＯ）、ＣＰＵ２４は、最後に読み取った画像がオートクロップに関わる原稿の画像であると判定したか否かを判別する（Ｓ１４９）。ＣＰＵ２４は、最後に読み取った画像がオートクロップに関わる原稿の画像であると判定した場合（Ｓ１４９：ＹＥＳ）、この後に読み取られる原稿の画像もオートクロップに関わる原稿の画像である可能性が高いと考えられることから、ＲＯＭ２２のオートクロップ用領域からオートクロップ用時間閾値を読み出して、オートクロップ用時間閾値を時間閾値Ｔｔｈに設定し（Ｓ１４４）、時間閾値選択処理を終了する。
【００４９】
最後に読み取った画像がブックともオートクロップに関わる原稿の画像とも判定されなかった場合（Ｓ１４９：ＮＯ）、ＣＰＵ２４は、ＲＯＭ２２のその他用領域からその他用時間閾値を読み出して、その他用時間閾値を時間閾値Ｔｔｈに設定し（Ｓ１４６）、時間閾値選択処理を終了する。
【００５０】
＜時間閾値変更処理＞
図３ＤのステップＳ３４で実行される時間閾値変更処理の流れは、図６に示されている。
【００５１】
時間閾値変更処理では、ＣＰＵ２４は、１ページ目の画像データを生成するための画像の読み取りの終了から時間閾値変更処理の開始までの間に、設定画面での延長キーのタッチ操作による５秒延長の指示または設定画面でのスタートキーのタッチ操作による画像の読み取りの開始の指示があったか否かを判別する（Ｓ３４１）。５秒延長の指示または読み取り開始の指示がなかった場合（Ｓ３４１：ＮＯ）、ＣＰＵ２４は、時間閾値変更処理を終了する。
【００５２】
５秒延長の指示または読み取り開始の指示があった場合（Ｓ３４１：ＹＥＳ）、ＣＰＵ２４は、スキャン設定条件の設定内容にしたがい原稿の画像の種類がブックであるか否かを判別する（Ｓ３４２）。ブックであると判断する場合（Ｓ３４２：ＹＥＳ）、ＣＰＵ２４は、時間閾値変更処理の開始時までに計測された経過時間ＴをＲＯＭ２２のブック用領域に書き込み（Ｓ３４３）、時間閾値変更処理を終了する。
【００５３】
ブックであると判断されない場合（Ｓ３４２：ＮＯ）、ＣＰＵ２４は、スキャン設定条件の設定内容にしたがい原稿の画像の種類がオートクロップであるか否かを判別する（Ｓ３４４）。オートクロップであると判断される場合（Ｓ３４４：ＹＥＳ）、ＣＰＵ２４は、時間閾値変更処理の開始時までに計測された経過時間ＴをＲＯＭ２２のオートクロップ用領域に書き込み（Ｓ３４５）、時間閾値変更処理を終了する。
【００５４】
原稿の画像の種類がブックおよびオートクロップのどちらでもないと判断される場合（Ｓ３４４：ＮＯ）、ＣＰＵ２４は、原稿サイズに関する設定が「自動解析」であるか否かを判別する（Ｓ３４６）。自動解析が設定されていない場合（Ｓ３４６：ＮＯ）、ＣＰＵ２４は、時間閾値変更処理の開始時までに計測された経過時間ＴをＲＯＭ２２のその他用領域に書き込み（Ｓ３４７）、時間閾値変更処理を終了する。
【００５５】
自動解析が設定されている場合（Ｓ３４６：ＹＥＳ）、ＣＰＵ２４は、最後に読み取った画像データの解析結果から最後に読み取った画像がブックであると判定したか否かを判別する（Ｓ３４８）。ＣＰＵ２４は、最後に読み取った画像がブックであると判定した場合（Ｓ３４８：ＹＥＳ）、時間閾値変更処理の開始時までに計測された経過時間ＴをＲＯＭ２２のブック用領域に書き込み（Ｓ３４３）、時間閾値変更処理を終了する。
【００５６】
最後に読み取った画像がブックであると判定されなかった場合（Ｓ３４８：ＮＯ）、ＣＰＵ２４は、最後に読み取った画像がオートクロップであると判定したか否かを判別する（Ｓ３４９）。ＣＰＵ２４は、最後に読み取った画像がオートクロップであると判定した場合（Ｓ３４９：ＹＥＳ）、時間閾値変更処理の開始時までに計測された経過時間ＴをＲＯＭ２２のオートクロップ用領域に書き込み（Ｓ３４５）、時間閾値変更処理を終了する。
【００５７】
最後に読み取った画像がブックともオートクロップとも判定されなかった場合（Ｓ３４９：ＮＯ）、ＣＰＵ２４は、時間閾値変更処理の開始時までに計測された経過時間ＴをＲＯＭ２２のその他用領域に書き込み（Ｓ３４７）、時間閾値変更処理を終了する。
【００５８】
＜作用効果＞
以上のように、コンタクトガラス５の上面５Ａに支持される原稿の画像は、その原稿の種類に応じた条件で読み取られる。すなわち、原稿の画像の種類がブックである場合には、見開き原稿でコンタクトガラス５の上面５Ａから浮き上がる部分の画素データを白画素データに置き換える補正処理を行う条件で、原稿の画像が読み取られる。原稿の画像の種類がオートクロップに関わる原稿の画像である場合、読み取った画像データを各原稿の画像データに切り分けて出力するクロップ処理を行う条件で、原稿の画像が読み取られる。原稿の画像の種類がブックでもオートクロップに関わる原稿の画像でもない場合、そのような補正処理やクロップ処理を行わない条件で、原稿の画像が読み取られる。
【００５９】
そして、原稿の画像の種類がブックである場合には、時間閾値Ｔｔｈがブック用時間閾値に設定されて、タイマによって計測された経過時間Ｔが時間閾値Ｔｔｈであるブック用時間閾値に達すると、読取部１１による画像の読み取りが開始される。また、原稿の画像の種類がオートクロップに関わる原稿の画像である場合には、時間閾値Ｔｔｈがオートクロップ用時間閾値に設定されて、タイマによって計測された経過時間Ｔが時間閾値Ｔｔｈであるオートクロップ用時間閾値に達すると、読取部１１による画像の読み取りが開始される。原稿の画像の種類がブックでもオートクロップに関わる原稿の画像でもない場合には、時間閾値Ｔｔｈがその他用時間閾値に設定されて、タイマによって計測された経過時間Ｔが時間閾値Ｔｔｈであるその他用時間閾値に達すると、読取部１１による画像の読み取りが開始される。
【００６０】
よって、原稿の画像を読み取る際の条件に応じた適切な時間が経過した時点で、原稿の画像の読み取りを開始することができる。
【００６１】
また、表示部１４に表示される設定画面での延長キーのタッチ操作による５秒延長の指示または設定画面でのスタートキーのタッチ操作による画像の読み取りの開始の指示があった場合には、時間閾値変更処理において、時間閾値Ｔｔｈに設定されるブック用時間閾値、オートクロップ用時間閾値またはその他用時間閾値が実際に計測された経過時間Ｔに更新される。これにより、所定のタイミングから一層適切な時間が経過した時点で、原稿の画像の読み取りを開始することができる。
【００６２】
さらに、コンタクトガラス５の上面５Ａに原稿が支持されていない場合には、図３Ａ〜図３Ｄに示される読取処理が終了される。これにより、コンタクトガラス５の上面５Ａに原稿が支持されていないにもかかわらず、原稿の画像の読み取りが繰り返し自動的に開始されることを抑制できる。図３ＢのＳ２３で自動解析が設定されていないと判断された場合は原稿なしかの判断（Ｓ２５）を行わないが、図３ＤのＳ３６では、自動解析が設定されていないと判断された場合であっても原稿なしかの判断（Ｓ３８）を行う。これは、操作部によりスキャンのための操作を受け付けたため、１ページ目から原稿がないと判断される可能性は低いが、２ページ目以降は、終了キーを操作し忘れユーザが複合機から離れてしまう可能性がある。そのような場合であっても、コンタクトガラス５の上面５Ａに原稿が支持されていないにもかかわらず、原稿の画像の読み取りが繰り返し自動的に開始されることを抑制できる。
【００６３】
＜変形例＞
以上、本発明の一実施形態について説明したが、本発明は、他の形態で実施することもできる。
【００６４】
たとえば、時間閾値Ｔｔｈがユーザに応じた値に設定されて、一のユーザによる指示に従って読取部１１により原稿の画像が読み取られる場合と、他のユーザによる指示に従って読取部１１により原稿の画像が読み取られる場合とで、原稿の画像の読み取りを開始する開始時間を異ならせる構成が採用されてもよい。また、複数のユーザが１台の複合機を利用する場合に、図５に示すような原稿の画像の種別ごとに異なる開始時間が設定されるテーブルをユーザ毎にそれぞれ持たせるように構成してもよい。また、複合機にスキャン設定条件を含むショートカットキーが登録可能な場合は、登録されたショートカットキーごとに原稿の画像の読み取りを開始する開始時間を異ならせる構成であってもよい。
図３Ａ〜図３Ｄにより実行される読取処理は、スキャンキーの操作を受け付けた場合に限らず、読取処理を伴う画像処理（例えば、コピーキーの操作を受け付けた場合）においても実行させてもよい。
【００６５】
また、時間閾値変更処理は、１ページごとに行われなくてもよい。ユーザによる終了指示があるか原稿なしと判断されることによりＦＢ自動読取モードが終了したタイミングで、時間閾値変更処理を実行してもよい。この場合、ＦＢ自動読取モードにより読み取られた複数ページ（２ページ目以降）のスキャンジョブそれぞれに対して読み取り開始までにかかった実際の経過時間の平均値を、ＲＯＭ２２の原稿の画像の種類に対応する領域の時間閾値として書き込んでもよい。また、実際の経過時間をＲＯＭ２２の別の領域に記憶しておき、時間閾値変更処理は、別の領域に記憶した経過時間であって同条件（例えば、読み取った原稿の画像の種類が同じ）でＦＢ自動読取モードにより読み取った複数回（例えば４回分）分の経過時間の平均値を新たな時間閾値として書き込んでもよい。すなわち、時間閾値変更処理は、実際の経過時間Ｔを新たな時間閾値として書き込むのではなく、実際の経過時間に基づく別の値を新たな時間閾値として書き込んでもよい。これにより、所定のタイミングのときだけ極端に原稿交換時間が長かった場合であっても、次の読取の時間閾値が突然長くなることを回避できる。
【００６６】
また、前述の実施形態では、ＲＯＭ２２が記憶部の一例であるとしたが、ＲＡＭ２３が記憶部として用いられてもよいし、ＲＯＭ２２、ＲＡＭ２３以外の記憶部（たとえば、ＮＶＲＡＭ）を設けて、それを記憶部として用いてもよい。
【００６７】
さらには、ＣＰＵ２４が各処理を実行する場合について説明した。しかしながら、ＡＳＩＣ２１が複数のＣＰＵを備え、複数のＣＰＵが協働して各処理を実行してもよい。
【００６８】
その他、前述の構成には、特許請求の範囲に記載された事項の範囲で種々の設計変更を施すことが可能である。
【符号の説明】
【００６９】
１：画像読取装置
５Ａ：上面
１１：読取部
１５：操作部
２２：ＲＯＭ
２４：ＣＰＵ
【図１】
2019165408.tif 000003
【図２】
2019165408.tif 000004
【図３Ａ】
2019165408.tif 000005
【図３Ｂ】
2019165408.tif 000006
【図３Ｃ】
2019165408.tif 000007
【図３Ｄ】
2019165408.tif 000008
【図４】
2019165408.tif 000009
【図５】
2019165408.tif 000010
【図６】
2019165408.tif 000011